(57)【要約】【課題】確実な二重ロックを確保できるとともに作業性を良好にすることができ、さらに小型化を図ることができるコネクタを提供すること。【解決手段】係止突起１９を有する雄コネクタハウジング１４と、雄コネクタハウジング１４の嵌合挿入に伴い係止突起１９に係止される可撓ロックアーム２８を有する雌コネクタハウジング１７と、係止突起１９に係止された可撓ロックアーム２８への係合に伴い可撓ロックアーム２８を可撓不能に保持する嵌合保証部材１３と、を備え、少なくとも雌コネクタハウジング１７または嵌合保証部材１３の一部に、嵌合保証部材１３が移動する際に、嵌合保証部材１３を可撓ロックアーム２８に落とし込むため当接部３８が形成されているコネクタ１０。【選択図】図２
2007200767.tif 000002
【特許請求の範囲】
【請求項１】
係止突起を有する雄コネクタハウジングと、該雄コネクタハウジングの嵌合挿入に伴い前記雄コネクタハウジングの該係止突起に係止される可撓ロックアームを有する雌コネクタハウジングと、前記係止突起に係止された該可撓ロックアームへの係合に伴い前記可撓ロックアームを可撓不能に保持する嵌合保証部材と、を備えたコネクタであって、
前記雌コネクタハウジングが、前記可撓ロックアームの外側に配置されたフード部と、前記嵌合保証部材を移動自在に支持するガイドと、を有し、
少なくとも前記フード部または前記嵌合保証部材の一部に、前記ガイドを介して該嵌合保証部材が移動する際に、前記嵌合保証部材の先端を当接しながら前記可撓ロックアームに落とし込むための当接部が形成されていることを特徴とするコネクタ。
【請求項２】
前記可撓ロックアームに、前記雄コネクタハウジングの前記係止突起に係止されるロック部を有するとともに、前記嵌合保証部材に、該可撓ロックアームの該ロック部に係合される係合部を有し、前記当接部を介して前記嵌合保証部材が該係合部を前記可撓ロックアームの前記ロック部に係合させる際に、該係止突起と該ロック部とを乗り越えることを特徴とする請求項１に記載したコネクタ。
【発明の詳細な説明】
【技術分野】
【０００１】
本発明は、コネクタハウジングに有する可撓ロックアームを嵌合保証部材で可撓不能に保持することで雄・雌コネクタハウジングの嵌合に二重ロックを掛けるコネクタに関する。
【背景技術】
【０００２】
従来のコネクタとして、雄コネクタハウジングと雌コネクタハウジングとが仮係止した際に、雄コネクタハウジングのロック突部に嵌合検知部材の係止突起を係合させたものが知られている（例えば、特許文献１参照）。
【０００３】
図６に示すように、特許文献１に開示されたコネクタ１００は、嵌合検知部材１０１に、雄コネクタハウジング１１０の当接突部１１１に対する可撓検知アーム１０２を設けている。嵌合検知部材１０１は、コネクタ嵌合方向に押し込まれることで、可撓検知アーム１０２が撓みながら進行されていき、先端部の係止突起１０３が雄コネクタハウジング１１０のロック突部１１２の下側を摺接してから、ロック突部１１２の前端に係合するようになっている。
【０００４】
【特許文献１】特開平９−２１９２５５号公報（図１〜図５）
【発明の開示】
【発明が解決しようとする課題】
【０００５】
ところが、上記特許文献１に開示された従来のコネクタ１００においては、当接突部１１１がロック突部１１２よりも後方にあるために、嵌合検知部材１０１の進行時に、先端部を大きく撓ませながら摺動させなければならず、それに伴い、大きな挿入力を必要とするので、二重ロックを確実に行うことが難しく、作業性が良好ではない。
【０００６】
また、可撓検知アーム１０２を撓ませながら進行させるために、可撓検知アーム１０２の長さを長く必要とし、それによって、小型化が難しい。
【０００７】
本発明は、上述した事情に鑑みてなされたものであり、その目的は、確実な二重ロックを確保できるとともに作業性を良好にすることができ、さらに小型化を図ることができるコネクタを提供することにある。
【課題を解決するための手段】
【０００８】
１）本発明に係るコネクタは、係止突起を有する雄コネクタハウジングと、該雄コネクタハウジングの嵌合挿入に伴い前記雄コネクタハウジングの該係止突起に係止される可撓ロックアームを有する雌コネクタハウジングと、前記係止突起に係止された該可撓ロックアームへの係合に伴い前記可撓ロックアームを可撓不能に保持する嵌合保証部材と、を備えたコネクタであって、前記雌コネクタハウジングが、前記可撓ロックアームの外側に配置されたフード部と、前記嵌合保証部材を移動自在に支持するガイドと、を有し、少なくとも前記フード部または前記嵌合保証部材の一部に、前記ガイドを介して該嵌合保証部材が移動する際に、前記嵌合保証部材の先端を当接しながら前記可撓ロックアームに落とし込むための当接部が形成されていることを特徴とする。
【０００９】
上記１）に記載の発明によれば、嵌合保証部材は、当接部を介して落とし込まれることで可撓ロックアームを可撓不能に保持する。そのために、従来のもののように、嵌合検知部材の先端部を大きく撓ませながら摺動させることがないので、大きな挿入力を必要とせずに、簡単な操作で二重ロックを行うことができる。また、従来のもののように、撓ませながら進行させる可撓検知アームを持たないために、省スペースで二重ロックを掛けることができる。従って、確実な二重ロックを確保できるとともに作業性を良好にすることができ、さらに小型化を図ることができる。
【００１０】
２）また、本発明に係るコネクタは、上記１）に記載のコネクタにおいて、前記可撓ロックアームに、前記雄コネクタハウジングの前記係止突起に係止されるロック部を有するとともに、前記嵌合保証部材に、該可撓ロックアームの該ロック部に係合される係合部を有し、前記当接部を介して前記嵌合保証部材が該係合部を前記可撓ロックアームの前記ロック部に係合させる際に、該係止突起と該ロック部とを乗り越えることを特徴とする。
【００１１】
上記２）に記載の発明によれば、嵌合保証部材は、当接部を介して係合部を可撓ロックアームのロック部に係合させる際に、雄コネクタハウジングの係止突起と可撓ロックアームのロック部とを乗り越える。これにより、嵌合保証部材は、簡単な構造で係止突起とロック部との二重ロックを行うことができ、複雑な形状の金型を必要としないので、生産性の向上を図ることができる。
【発明の効果】
【００１２】
本発明のコネクタによれば、大きな挿入力を必要とする、二重ロックを確実に行うことが難しい、作業性が良好ではない、小型化が難しい、という問題を解決でき、これにより、確実な二重ロックを確保できるとともに作業性を良好にすることができ、さらに小型化を図ることができるという効果が得られる。
【発明を実施するための最良の形態】
【００１３】
以下、本発明に係る好適な実施の形態例を図面に基づいて詳細に説明する。
【００１４】
図１は本発明のコネクタの一実施形態を説明する分解斜視図、図２は図１に示すコネクタに用いる嵌合保証部材の仮係止状態での縦断面図、図３は図１に示すコネクタに用いる嵌合保証部材の仮係止状態から本係止状態への移行時の前半の縦断面図、図４は図３に示す移行時の後半の要部拡大図、図５は図１に示すコネクタに用いる嵌合保証部材の本係止状態での縦断面図である。
【００１５】
図１に示すように、本発明の一実施形態であるコネクタ１０は、雄コネクタ１１と、雌コネクタ１２と、嵌合保証部材１３と、を備えている。
【００１６】
雄コネクタ１１は、雄コネクタハウジング１４が絶縁性のある合成樹脂によって成形されており、内部に、横４列、縦３列の１２個の端子収容室１５を有し、端子収容室１５に雄端子１６がそれぞれ収容されている。各雄端子１６は、不図示の回路にそれぞれ電気的に接続される。この雄コネクタハウジング１４は、雌コネクタ１２に備えている雌コネクタハウジング１７内に挿入される筒形状の雄コネクタフード１８を有し、この雄コネクタフード１８の先端上部に係止突起１９を有する。また、雄コネクタフード１８は、両側部に一対のガイド突起２０，２０を有する。
【００１７】
雌コネクタ１２は、雌コネクタハウジング１７が絶縁性のある合成樹脂によって成形されており、内側に配置された端子キャビティ２１に、横４列、縦３列の１２個の端子収容室２２を有し、端子収容室２２に雌端子２３がそれぞれ収容されている。端子キャビティ２１には、水密保持用のオーリング（図２参照）５０が外嵌されている。各雌端子２３は、不図示の回路にそれぞれ電気的に接続される。この雌コネクタハウジング１７は、雄コネクタフード１８を内側に挿入する筒形状の雌コネクタフード２４を有し、この雌コネクタフード２４の内側に、雄コネクタフード１８のガイド突起２０，２０をコネクタ嵌合方向に挿入させるガイド溝２５，２５をそれぞれ有する。
【００１８】
また、雌コネクタハウジング１７は、雌コネクタフード２４が、中央部から後端部まで切除されており、その両側に一対の突板２６，２６を有し、これら突板２６，２６の内側面に嵌合保証部材ガイド突起２７，２７がそれぞれ形成されている。そして、突板２６，２６の内側に可撓ロックアーム２８が配置されている。可撓ロックアーム２８は、雌コネクタフード２４の裏面中央部に接続された片持ち状の舌片形状をなし、後端部に形成された操作部２９を下方に向けて押下することで、支点部（図２参照）３０を介してシーソー式にして中央部に形成されたロック部（図２参照）３１が上方へ変位する。
【００１９】
嵌合保証部材１３は、雄コネクタハウジング１４及び雌コネクタハウジング１７と同様に絶縁性のある合成樹脂によって成形されており、板形状をなす本体３２の両側部に一対のガイド溝３３，３３を有し、本体３２上に押圧用突部３４を有する。また、嵌合保証部材１３は、本体３２の中央部に有するアーム部３５の先端部にＬ字形状をなす係合部３６を有する。嵌合保証部材１３は、ガイド溝３３，３３を雌コネクタフード２４の嵌合保証部材ガイド突起２７，２７に装着することで嵌合保証部材ガイド突起２７，２７に移動自在に支持されて雌コネクタハウジング１７に組み付けられる。
【００２０】
コネクタ１０は、雌コネクタフード２４のガイド溝２５，２５に雄コネクタフード１８のガイド突起２０，２０を合わせて、雌コネクタハウジング１７の雌コネクタフード２４の内側に雄コネクタハウジング１４の雄コネクタフード１８が挿入されていき、雄コネクタハウジング１７の係止突起１９が可撓ロックアーム２８のロック部３１を乗り越えて係止したところでコネクタ１０の仮嵌合状態となる。そして、その後に、嵌合保証部材１３が、以下に示す仮係止状態、本係止状態へと移動する。
【００２１】
次に、図２〜図５を参照して、嵌合保証部材の仮係止状態、本係止状態への移動について説明する。
【００２２】
図２に示すように、雌コネクタハウジング１７は、両突板２６，２６の間に一対の支点部３０，３０が突出形成されており、可撓ロックアーム２８は、雌コネクタフード２４の側部に接続された接続部３７，３７と操作部２９との間にロック部３１を有する。可撓ロックアーム２８は、操作部２９が下方に向けて押下されることで、支点部３０，３０を介してシーソー式にして中央部のロック部３１が上方へ変位するために、雄コネクタハウジング１４の係止突起１９との係止が外れ、仮嵌合が解除される。
【００２３】
そして、雌コネクタハウジング１７には、雌コネクタフード２４の後端部である開口側に、傾斜面状の当接部３８が形成されている。当接部３８は、嵌合保証部材１３が移動してくる際に、アーム部３５の先端部に形成された受面３９が当接することで、アーム部３５を下方に向けて方向変更させて、係合部３６を可撓ロックアーム２８のロック部３１の前部に落とし込む。なお、当接部３８は、雌コネクタフード２４に代えて、嵌合保証部材１３のアーム部３５の先端部に形成しても良い。その場合、受面３９を雌コネクタフード２４の後端部に形成すれば良い。
【００２４】
雄コネクタハウジング１７の係止突起１９が可撓ロックアーム２８のロック部３１を乗り越えて係止したコネクタ１０の嵌合状態において、嵌合保証部材１３は、仮係止位置Ａ１にある。このとき、嵌合保証部材１３の係合部３６は雄コネクタハウジング１４の係止突起１９の上部に接触しているが、係止突起１９を押圧しない。そして、作業者によって嵌合保証部材１３の押圧用突部３４が図２中の左方向に押圧される。
【００２５】
図３に示すように、嵌合保証部材１３が左方向に押圧されることで、嵌合保証部材１３は嵌合保証部材ガイド突起２７，２７に支持されながら本係止位置Ａ２に向けてスライド移動される。嵌合保証部材１３が本係止位置Ａ２に向けてスライド移動することで、係合部３６は可撓ロックアーム２８のロック部３１上を摺動されながら進行する。このとき、可撓ロックアーム２８のロック部３１が上方に変位していたとしても、係合部３６の進行によりロック部３１が下方に押圧されるために、ロック部３１の係止突起１９への係止が外れることはない。
【００２６】
図４に示すように、嵌合保証部材１３は、本係止位置Ａ２への進行が続くことで、アーム部３５の先端部の受面３９が雌コネクタフード２４の当接部３８に当接する。このとき、当接部３８が傾斜面状をなすために、その際に生じた分力によってアーム部３５が下方に向けて強制的に方向変更され、係合部３６が可撓ロックアーム２８のロック部３１を乗り越える。
【００２７】
図５に示すように、嵌合保証部材１３は、受面３９が当接部３８に当接することで、係合部３６がロック部３１を乗り越えた後に、本係止位置Ａ２に到達し、係合部３６がロック部３１の前方側部に係合される。これにより、コネクタ１０は、雄コネクタハウジング１７の係止突起１９が可撓ロックアーム２８のロック部３１に係止されている状態において、嵌合保証部材１３によりロック部３１が上方へ向けた変位を阻止されて本嵌合状態となる。このとき、可撓ロックアーム２８の操作部２９を下方に向けて押下すると、ロック部３１がアーム部３５を上方に押し上げるが、前記アーム部上部が当接部３８に当接して係止突起１９とロック部３１との係合が解除されるのを規制する。
【００２８】
このように、コネクタ１０は、嵌合保証部材１３を、嵌合保証部材ガイド突起２７，２７を介してスライド移動させるだけで、係合部３６が、雄コネクタハウジング１７の係止突起１９と可撓ロックアーム２８のロック部３１との係止状態を二重にロックさせることができる。
【００２９】
以上説明したように、本発明の一実施形態であるコネクタ１０によれば、嵌合保証部材１３は、当接部３８を介して落とし込まれることで可撓ロックアーム２８を可撓不能に保持する。そのために、従来のもののように、嵌合検知部材の先端部を大きく撓ませながら摺動させることがないので、大きな挿入力を必要とせずに、可撓ロックアームに大きな弾性力を有することなく、簡単な操作で二重ロックを行うことができる。また、従来のもののように、撓ませながら進行させる可撓検知アームを持たないために、省スペースで二重ロックを掛けることができる。これにより、確実な二重ロックを確保できるとともに作業性を良好にすることができ、さらに小型化を図ることができる。
【００３０】
また、本発明の一実施形態であるコネクタ１０によれば、嵌合保証部材１３は、当接部３８を介して係合部３６を可撓ロックアーム２８のロック部３１に係合させる際に、雄コネクタハウジング１４の係止突起１９と可撓ロックアーム２８のロック部３１とを乗り越える。これにより、嵌合保証部材１３は、簡単な構造で係止突起１９とロック部３１との二重ロックを行うことができ、複雑な形状の金型を必要としないので、生産性の向上を図ることができる。また、嵌合保証部材１３は、アーム部３５に、従来のもののような可撓性を要求しないので、成形が簡単であり、既存の設備を用いて容易に作成することができる。
【００３１】
なお、本発明は、前述した実施形態に限定されるものではなく、適宜、変形、改良等が自在である。例えば、雄端子及び雌端子の数は、このコネクタが適用されるワイヤハーネスの回路数に応じて適宜設定されるために、何ら限定されるものではない。
【図面の簡単な説明】
【００３２】
【図１】本発明のコネクタの一実施形態を説明する分解斜視図である。
【図２】図１に示したコネクタに用いる嵌合保証部材の仮係止状態での縦断面図である。
【図３】図１に示したコネクタに用いる嵌合保証部材の仮係止状態から本係止状態への移行時の前半の縦断面図である。
【図４】図３に示した移行時の後半の要部拡大図である。
【図５】図１に示したコネクタに用いる嵌合保証部材の本係止状態での縦断面図である。
【図６】従来のコネクタの断面図である。
【符号の説明】
【００３３】
１０  コネクタ
１３  嵌合保証部材
１４  雄コネクタハウジング
１７  雌コネクタハウジング
１９  係止突起
２４  雌コネクタフード（フード部）
２７  嵌合保証部材ガイド突起（ガイド）
２８  可撓ロックアーム
３１  ロック部
３６  係合部
３８  当接部
【図１】
2007200767.tif 000003
【図２】
2007200767.tif 000004
【図３】
2007200767.tif 000005
【図４】
2007200767.tif 000006
【図５】
2007200767.tif 000007
【図６】
2007200767.tif 000008